(57)【要約】【課題】違法遊技を効果的に排除することができ、また、遊技機の機種変更にも最小限の回路変更で対処できる遊技機を提供する。【解決手段】違法遊技を検出可能な複数の検知センサＳＥｉの検出出力は、全て中継基板に伝送された後、電源ラインＶｃｃとグランドラインＧＮＤと信号ラインＳＧとを構成する配線ケーブルの信号ラインＳＧを経由して、中継基板２９から制御基板２１に伝送される。検知センサＳＥｉは、通常はＯＮ状態であって、異常検出時にＯＦＦ動作するよう構成され、中継基板２９には、電源ラインの電圧を検知センサＳＥｉの全ての出力端子に供給する第１抵抗Ｒｐが配置され、全ての検知センサの出力端子の出力信号が、信号ラインＳＧを経由して伝送される。【選択図】図５
2015155044.tif 000002
【特許請求の範囲】
【請求項１】
遊技盤に配置した遊技球の検出スイッチに関連する違法遊技を検出可能な複数Ｎ個の検知センサを配置した弾球遊技機であって、
前記検知センサの検出出力は、全て中継基板に伝送された後、電源ラインとグランドラインと信号ラインとを構成する３本の配線ケーブルのうち、前記信号ラインを経由して、中継基板から制御基板に伝送され、前記信号ラインのレベルに基づいて異常事態の発生を報知可能に構成され、
前記検知センサは、通常はＯＮ状態であって、異常検出時にＯＦＦ動作するよう構成され、
前記中継基板には、電源ラインの電圧を前記検知センサの出力端子に各々供給するＮ個の第１抵抗と、前記検知センサの出力端子からの検出信号に基づいてスイッチング動作をするＮ個のトランジスタと、電源ラインの電圧を全てのトランジスタの出力端子に供給する第２抵抗とが配置され、全てのトランジスタの出力端子の出力信号が、前記信号ラインを経由して伝送されるよう構成され、
前記主制御基板は、遊技機の相違による前記検知センサの個数の相違に拘わらず、同一構成の入力回路によって前記信号ラインの信号を受けるよう構成され、
前記中継基板における前記検知センサ側の入力端子は、前記検知センサの個数に対応して設けられる一方、前記主制御基板側の出力端子は、共通化されていることを特徴とする弾球遊技機。
【請求項２】
遊技盤に配置した遊技球の検出スイッチに関連する違法遊技を検出可能な複数Ｎ個の検知センサを配置した弾球遊技機であって、
前記検知センサの検出出力は、全て中継基板に伝送された後、電源ラインとグランドラインと信号ラインとを構成する３本の配線ケーブルのうち、前記信号ラインを経由して、中継基板から制御基板に伝送され、前記信号ラインのレベルに基づいて異常事態の発生を報知可能に構成され、
前記検知センサは、通常はＯＦＦ状態であって、異常検出時にＯＮ動作するよう構成され、
前記中継基板には、電源ラインの電圧を前記検知センサの全ての出力端子に供給する第１抵抗が配置され、全ての検知センサの出力端子の出力信号が、前記信号ラインを経由して伝送されるよう構成され、
前記主制御基板は、遊技機の相違による前記検知センサの個数の相違に拘わらず、同一構成の入力回路によって前記信号ラインの信号を受けるよう構成され、
前記中継基板における前記検知センサ側の入力端子は、前記検知センサの個数に対応して設けられる一方、前記主制御基板側の出力端子は、共通化されていることを特徴とする弾球遊技機。
【請求項３】
前記制御基板には、前記信号ラインの信号に基づいてＯＮ動作するスイッチ回路が設けられている請求項１又は２に記載の弾球遊技機。
【請求項４】
前記Ｎ個のトランジスタの出力端子は、各々、発光体を経由して前記第２抵抗に接続され、前記Ｎ個の発光体の全ては、共通のバイアス抵抗を経由して前記主制御基板のスイッチ回路に接続される請求項３に記載の弾球遊技機。
【請求項５】
前記Ｎ個の検知センサの出力端子には、直列接続された電流制限抵抗及び発光体が各々接続され、全ての検知センサの出力端子は、共通のバイアス抵抗を経由して前記主制御基板のスイッチ回路に接続される請求項３に記載の弾球遊技機。
【請求項６】
前記バイアス抵抗は、前記中継基板に配置される請求項４または５に記載の弾球遊技機
。
【請求項７】
前記バイアス抵抗は、前記主制御基板に配置される請求項４または５に記載の弾球遊技機。
【請求項８】
前記中継基板は、遊技球の検出スイッチの検出信号を前記主制御基板に伝送するよう構成されている請求項１〜７の何れかに記載の弾球遊技機。
【発明の詳細な説明】
【技術分野】
【０００１】
本発明は、弾球遊技機やスロットマシンなど、遊技動作に起因する抽選処理によって大当たり状態を発生させる遊技機に関し、特に、違法遊技を有効に排除でき、機種変更も容易な遊技機に関する。
【背景技術】
【０００２】
パチンコ機などの弾球遊技機は、遊技盤に設けた図柄始動口と、複数の表示図柄による一連の図柄変動態様を表示する図柄表示部と、開閉板が開閉される大入賞口などを備えて構成されている。そして、図柄始動口に設けられた検出スイッチが遊技球の通過を検出すると入賞状態となり、遊技球が賞球として払出された後、図柄表示部では表示図柄が所定時間変動される。その後、７−７−７などの所定の態様で図柄が停止すると大当り状態となり、大入賞口が繰返し開放されて、遊技者に有利な利益状態を発生させている。
【０００３】
但し、実際には、遊技球の入賞時に実行される大当り抽選処理によって、大当り状態か否かが予め決定されており、図柄表示部では、専ら遊技者を盛上げるために図柄変動動作を行っている。このように、弾球遊技機では、遊技球が図柄始動口を通過したか否かの検出は、極めて重要であるとこと、検出スイッチは、例えば、高周波発振回路と検出コイルとを内蔵して構成され、遊技球が検出コイルを通過すると、そのときのインピーダンス変化に基づいてＯＮ信号を出力するようになっている（例えば、貫通型近接スイッチ：ＴＬ−ＰＰ１５３）。
【０００４】
そして、この種の検出スイッチでは、磁気に反応してＯＮ信号を出力するので、強力な磁石などを悪用する違法遊技も懸念されるところである。そこで、違法遊技を早期に検出するべく磁気センサを遊技盤上の適所に配置する対策も採られている（特許文献１）。
【先行技術文献】
【特許文献】
【０００５】
【特許文献１】特開２０１０−０００２２７号公報
【発明の概要】
【発明が解決しようとする課題】
【０００６】
しかしながら、遊技盤のデザインは、遊技機毎に変更されるので、磁気センサの配置個数や配置位置を一定化させることはできない。そのため、磁気センサの個数の変更に対応して、その都度、制御基板の回路構成を変更する必要が生じるが、かかる機種変更時に必要最小限の回路変更だけで対応できる構成が望まれる。また、磁気センサに代えて、電波センサを配置する場合でも、その配置位置や配置個数の変更に容易に対応できる構成が望まれる。また、これらセンサの断線を直ちに検出できる簡易な構成も望まれる。
【０００７】
本発明は、上記の問題点に鑑みてなされたものであって、違法遊技を効果的に排除することができ、また、遊技機の機種変更にも最小限の回路変更で対処できる遊技機を提供することを目的とする。
【課題を解決するための手段】
【０００８】
上記の目的を達成するため、請求項１に係る発明は、遊技盤に配置した遊技球の検出スイッチに関連する違法遊技を検出可能な複数Ｎ個の検知センサを配置した弾球遊技機であって、前記検知センサの検出出力は、全て中継基板に伝送された後、電源ラインとグランドラインと信号ラインとを構成する３本の配線ケーブルのうち、前記信号ラインを経由して、中継基板から制御基板に伝送され、前記信号ラインのレベルに基づいて異常事態の発生を報知可能に構成され、前記検知センサは、通常はＯＮ状態であって、異常検出時にＯＦＦ動作するよう構成され、前記中継基板には、電源ラインの電圧を前記検知センサの出力端子に各々供給するＮ個の第１抵抗と、前記検知センサの出力端子からの検出信号に基づいてスイッチング動作をするＮ個のトランジスタと、電源ラインの電圧を全てのトランジスタの出力端子に供給する第２抵抗とが配置され、全てのトランジスタの出力端子の出力信号が、前記信号ラインを経由して伝送されるよう構成され、前記主制御基板は、遊技機の相違による前記検知センサの個数の相違に拘わらず、同一構成の入力回路によって前記信号ラインの信号を受けるよう構成され、前記中継基板における前記検知センサ側の入力端子は、前記検知センサの個数に対応して設けられる一方、前記主制御基板側の出力端子は、共通化されている。なお、トランジスタは、バイポーラ型であるか、ＭＯＳ型であるかを問わず、その他、これらのトランジスタと同等の機能を果たす電子素子が含まれる。
【０００９】
また、請求項２に係る発明は、遊技盤に配置した遊技球の検出スイッチに関連する違法遊技を検出可能な複数Ｎ個の検知センサを配置した弾球遊技機であって、前記検知センサの検出出力は、全て中継基板に伝送された後、電源ラインとグランドラインと信号ラインとを構成する３本の配線ケーブルのうち、前記信号ラインを経由して、中継基板から制御基板に伝送され、前記信号ラインのレベルに基づいて異常事態の発生を報知可能に構成され、前記検知センサは、通常はＯＦＦ状態であって、異常検出時にＯＮ動作するよう構成され、前記中継基板には、電源ラインの電圧を前記検知センサの全ての出力端子に供給する第１抵抗が配置され、全ての検知センサの出力端子の出力信号が、前記信号ラインを経由して伝送されるよう構成され、前記主制御基板は、遊技機の相違による前記検知センサの個数の相違に拘わらず、同一構成の入力回路によって前記信号ラインの信号を受けるよう構成され、前記中継基板における前記検知センサ側の入力端子は、前記検知センサの個数に対応して設けられる一方、前記主制御基板側の出力端子は、共通化されている。
【００１０】
上記何れの発明でも、前記制御基板には、前記信号ラインの信号に基づいてＯＮ動作するスイッチ回路が設けられているのが好ましい。この場合、前記Ｎ個のトランジスタの出力端子は、各々、発光体を経由して前記第２抵抗に接続され、前記Ｎ個の発光体の全ては、共通のバイアス抵抗を経由して前記主制御基板のスイッチ回路に接続されるか、或いは、前記Ｎ個の検知センサの出力端子には、直列接続された電流制限抵抗及び発光体が各々接続され、全ての検知センサの出力端子は、共通のバイアス抵抗を経由して前記主制御基板のスイッチ回路に接続されるのが好適である。
【００１１】
上記の発明において、前記バイアス抵抗は、前記中継基板に配置されるか、前記主制御基板に配置され、各々に利点がある。すなわち、中継基板に配置すれば、検知センサの個数の相違に対応して最適なバイアス設計が可能となる。一方、主制御基板に配置すれば、中継基板と主基板との信号ラインのノイズマージンを高めることができる。
【００１２】
前記中継基板は、遊技球の検出スイッチの検出信号を前記主制御基板に伝送するよう構成されるのも好適である。この場合には、検知センサの個数の増減だけでなく、検出スイッチの個数の増減にも中継基板の変更だけで対応できる。
【発明の効果】
【００１３】
上記した本発明によれば、違法遊技を効果的に排除することができ、また、遊技機の機種変更にも最小限の回路変更で対処できる。
【図面の簡単な説明】
【００１４】
【図１】実施態様に示すパチンコ機の斜視図である。
【図２】図１のパチンコ機の遊技盤を詳細に図示した正面図である。
【図３】図１のパチンコ機の全体構成を示すブロック図である。
【図４】遊技盤中継基板の回路構成を示すブロック図である。
【図５】遊技盤中継基板の変形回路構成を示すブロック図である。
【図６】遊技盤中継基板の変形回路構成を示すブロック図である。
【図７】遊技盤中継基板の変形回路構成を示すブロック図である。
【図８】図６の変形回路構成を示すブロック図である。
【図９】図７の変形回路構成を示すブロック図である。
【発明を実施するための最良の形態】
【００１５】
以下、本発明の実施態様について詳細に説明する。図１は、本実施態様のパチンコ機ＧＭを示す斜視図である。このパチンコ機ＧＭは、島構造体に着脱可能に装着される矩形枠状の木製外枠１と、外枠１に固着されたヒンジ２を介して開閉可能に枢着される前枠３とで構成されている。この前枠３には、遊技盤５が、裏側からではなく表側から着脱自在に装着され、その前側には、ガラス扉６と前面板７とが夫々開閉自在に枢着されている。
【００１６】
ガラス扉６の外周には、ＬＥＤランプなどによる電飾ランプが、略Ｃ字状に配置されている。前面板７には発射用の遊技球を貯留する上皿８が装着され、前枠３の下部には、上皿８から溢れ出し又は抜き取った遊技球を貯留する下皿９と、発射ハンドル１０とが設けられている。発射ハンドル１０は発射モータと連動しており、発射ハンドル１０の回動角度に応じて動作する打撃槌によって遊技球が発射される。
【００１７】
上皿８の外周面には、チャンスボタン１１が設けられている。このチャンスボタン１１は、遊技者の左手で操作できる位置に設けられており、遊技者は、発射ハンドル１０から右手を離すことなくチャンスボタン１１を操作できる。このチャンスボタン１１は、通常時には機能していないが、ゲーム状態がボタンチャンス状態となると内蔵ランプが点灯されて操作可能となる。なお、ボタンチャンス状態は、必要に応じて設けられるゲーム状態である。
【００１８】
上皿８の右部には、カード式球貸し機に対する球貸し操作用の操作パネル１２が設けられ、カード残額を３桁の数字で表示する度数表示部と、所定金額分の遊技球の球貸しを指示する球貸しスイッチと、ゲーム終了時にカードの返却を指令する返却スイッチとが設けられている。
【００１９】
図２に示すように、遊技盤５には、金属製の外レールと内レールとからなるガイドレール１３が環状に設けられ、その内側の遊技領域５ａの略中央には、液晶カラーディスプレイで構成された表示装置ＤＩＳＰが配置されている。また、遊技領域５ａの適所には、図柄始動口１５、大入賞口１６、複数個の普通入賞口１７（大入賞口１６の左右に４つ）、単一のゲート１８が配設されている。
【００２０】
これらの入賞口１５〜１８は、それぞれ内部に検出スイッチを有しており、遊技球の通過を検出できるようになっている。なお、図示の遊技盤では、図柄始動口１５が単一であるが、２つ又はそれ以上の図柄始動口を設けることができる。同様に、その他の入賞口１５〜１８についても、適宜に、その個数を増減することができる。
【００２１】
そして、単一又は複数個の図柄始動口１５に近接して、外部から見えないよう磁気センサが配置されている。また、必要に応じて、他の箇所に磁気センサや電波センサを配置しても良く、その場合にも回路構成の大幅変更は不要である。なお、この効果を実現する回路構成については後述する。
【００２２】
表示装置ＤＩＳＰは、大当り状態に係わる特定図柄を変動表示すると共に背景画像や各種のキャラクタなどをアニメーション的に表示する装置である。この表示装置ＤＩＳＰは、中央部に特別図柄表示部Ｄａ〜Ｄｃと右上部に普通図柄表示部１９を有している。そして、特別図柄表示部Ｄａ〜Ｄｃでは、大当り状態の招来を期待させるリーチ演出が実行され、特別図柄表示部Ｄａ〜Ｄｃ及びその周りでは、当否結果を不確定に報知する予告演出などが実行される。
【００２３】
普通図柄表示部１９は普通図柄を表示するものであり、ゲート１８を通過した遊技球が検出されると、普通図柄が所定時間だけ変動し、遊技球のゲート１８の通過時点において抽出された抽選用乱数値により決定される停止図柄を表示して停止するようになっている。
【００２４】
図柄始動口１５は、左右１対の開閉爪１５０を備えた電動式チューリップで開閉されるよう例えば構成され、普通図柄表示部１９の変動後の停止図柄が当り図柄を表示した場合には、開閉爪１５ａが所定時間だけ開放されるようになっている。なお、機種が変更されて、追加して図柄始動口を設ける場合には、例えば、第一の図柄始動口１５の直ぐ上に、電動式チューリップを設けることなく第二の図柄始動口が配置される。
【００２５】
何れにしても図柄始動口１５に遊技球が入賞すると、特別図柄表示部Ｄａ〜Ｄｃの表示図柄が所定時間だけ変動し、図柄始動口１５への遊技球の入賞タイミングに応じた抽選結果に基づいて決定される停止図柄で停止する。なお、特別図柄表示部Ｄａ〜Ｄｃ及びその周りでは、一連の図柄演出の間に、予告演出が実行される場合がある。
【００２６】
大入賞口１６は、例えば前方に開放可能な開閉板１６ａで開閉制御されるが、特別図柄表示部Ｄａ〜Ｄｃの図柄変動後の停止図柄が「７７７」などの大当り図柄のとき、「大当りゲーム」と称する特別遊技が開始され、開閉板１６０が開放されるようになっている。
【００２７】
大入賞口１６の開閉板１６ａが開放された後、所定時間が経過し、又は所定数（例えば１０個）の遊技球が入賞すると開閉板１６ａが閉じる。このような動作は、最大で例えば１５回まで特別遊技が継続され、遊技者に有利な状態に制御される。なお、特別図柄表示部Ｄａ〜Ｄｃの変動後の停止図柄が特別図柄のうちの特定図柄であった場合には、特別遊技の終了後のゲームが高確率状態となるという特典が付与される。
【００２８】
図３は、上記した各動作を実現するパチンコ機ＧＭの全体回路構成を示すブロック図である。図中の一点破線は、主に、直流電圧ラインを示している。
【００２９】
図示の通り、このパチンコ機ＧＭは、ＡＣ２４Ｖを受けて各種の直流電圧やシステムリセット信号ＳＹＳなどを出力する電源基板２０と、遊技制御動作を中心統括的に担う主制御基板２１と、主制御基板２１から受けた制御コマンドＣＭＤに基づいてランプ演出及び音声演出を実行する演出制御基板２２と、演出制御基板２２から受けた制御コマンドＣＭＤ’に基づいて表示装置ＤＩＳＰを駆動する画像制御基板２３と、主制御基板２１から受けた制御コマンドＣＭＤ”に基づいて払出モータＭを制御して遊技球を払い出す払出制御基板２４と、遊技者の操作に応答して遊技球を発射させる発射制御基板２５と、を中心に構成されている。
【００３０】
但し、この実施形態では、主制御基板２１が出力する制御コマンドＣＭＤは、コマンド中継基板２６と演出インターフェイス基板２７を経由して、演出制御基板２２に伝送される。また、演出制御基板２２が出力する制御コマンドＣＭＤ’は、演出インターフェイス基板２７を経由して、画像制御基板２３に伝送され、主制御基板２１が出力する制御コマンドＣＭＤ”は、主基板中継基板２８を経由して、払出制御基板２４に伝送される。
【００３１】
これら主制御基板２１、演出制御基板２２、画像制御基板２３、及び払出制御基板２４には、ワンチップマイコンを備えるコンピュータ回路がそれぞれ搭載されている。そこで、これらの制御基板２１〜２４に搭載された回路、及びその回路によって実現される動作を機能的に総称して、本明細書では、主制御部２１、演出制御部２２、画像制御部２３、及び払出制御部２４と言うことがある。なお、演出制御部２２、画像制御部２３、及び払出制御部２４の全部又は一部がサブ制御部である。
【００３２】
ところで、このパチンコ機ＧＭは、図３の破線で囲む枠側部材ＧＭ１と、遊技盤５の背面に固定された盤側部材ＧＭ２とに大別されている。枠側部材ＧＭ１には、ガラス扉６や前面板７が枢着された前枠３と、その外側の木製外枠１とが含まれており、機種の変更に拘わらず、長期間にわたって遊技ホールに固定的に設置される。一方、盤側部材ＧＭ２は、機種変更に対応して交換され、新た盤側部材ＧＭ２が、元の盤側部材の代わりに枠側部材ＧＭ１に取り付けられる。なお、枠側部材１を除く全てが、盤側部材ＧＭ２である。
【００３３】
図３の破線枠に示す通り、枠側部材ＧＭ１には、電源基板２０と、払出制御基板２４と、発射制御基板２５と、枠中継基板３２とが含まれており、これらの回路基板が、前枠３の適所に各々固定されている。一方、遊技盤５の背面には、主制御基板２１、演出制御基板２２、画像制御基板２３が、表示装置ＤＩＳＰやその他の回路基板と共に固定されている。
【００３４】
そして、枠側部材ＧＭ１と盤側部材ＧＭ２とは、一箇所に集中配置された接続コネクタＣ１〜Ｃ４によって電気的に接続されている。接続コネクタＣ１〜Ｃ４は、この実施形態では、遊技盤５の背面視左下に集中配置されている。そして、ガラス扉６を開放した状態で、前枠３の表側から、遊技盤５の左端を前枠３に係止して回転支点を確保し、確保した回転支点を中心に遊技盤５を回転させることで、前枠３の内側に遊技盤５を嵌合させる。なお、遊技盤５を嵌合させると、全ての接続コネクタＣ１〜Ｃ４が接続状態となり、それだけで枠側部材ＧＭ１と盤側部材ＧＭ２の接続が完了し、パチンコ機ＧＭが動作可能な状態となる。
【００３５】
図３に示す通り、電源基板２０は、接続コネクタＣ２を通して、主基板中継基板２８に接続され、接続コネクタＣ３を通して、電源中継基板３０に接続されている。そして、主基板中継基板２８は、電源基板２０から受けたシステムリセット信号ＳＹＳ、ＲＡＭクリア信号ＣＬＲ、電圧降下信号、バックアップ電源、ＤＣ１２Ｖ、ＤＣ３２Ｖを、そのまま主制御部２１に出力している。同様に、電源中継基板３０も、電源基板２０から受けたシステムリセット信号ＳＹＳや、交流及び直流の電源電圧を、そのまま演出インターフェイス基板２７に出力している。なお、演出インターフェイス基板２７は、受けたシステムリセット信号ＳＹＳを、そのまま演出制御部２２と画像制御部２３に出力している。
【００３６】
一方、払出制御基板２４は、中継基板を介することなく、電源基板２０に直結されており、主制御部２１が受けると同様の、システムリセット信号ＳＹＳ、ＲＡＭクリア信号、電圧降下信号、バックアップ電源を、その他の電源電圧と共に直接的に受けている。
【００３７】
ここで、電源基板２０が出力するシステムリセット信号ＳＹＳは、電源基板２０に交流電源２４Ｖが投入されたことを示す信号であり、この信号によって各制御部２１〜２４のワンチップマイコンその他のＩＣ素子が電源リセットされるようになっている。
【００３８】
主制御部２１及び払出制御部２４が、電源基板２０から受けるＲＡＭクリア信号は、各制御部２１，２４のワンチップマイコンの内蔵ＲＡＭの全領域を初期設定するか否かを決定する信号であって、係員が操作する初期化スイッチのＯＮ／ＯＦＦ状態に対応した値を有している。
【００３９】
主制御部２１及び払出制御部２４が、電源基板２０から受ける電圧降下信号は、交流電源２４Ｖが降下し始めたことを示す信号であり、この電圧降下信号を受けることによって、各制御部２１、２４では、停電や営業終了に先立って、必要な終了処理を開始するようになっている。また、バックアップ電源は、営業終了や停電により交流電源２４Ｖが遮断された後も、主制御部２１と払出制御部２４のワンチップマイコンの内蔵ＲＡＭのデータを保持するＤＣ５Ｖの直流電源である。したがって、主制御部２１と払出制御部２５は、電源遮断前の遊技動作を電源投入後に再開できることになる（電源バックアップ機能）。このパチンコ機では少なくとも数日は、各ワンチップマイコンのＲＡＭの記憶内容が保持されるよう設計されている。
【００４０】
一方、演出制御部２２と画像制御部２３には、上記した電源バックアップ機能が設けられていない。しかし、先に説明した通り、演出制御部２２と画像制御部２３には、電源中継基板３０と演出インターフェイス基板２７を経由して、システムリセット信号ＳＹＳが共通して供給されており、他の制御部２１，２４と、ほぼ同期したタイミングで電源リセット動作が実現される。
【００４１】
図示の通り、主制御部２１は、主基板中継基板２８を経由して、払出制御部２５に制御コマンドＣＭＤ”を送信する一方、払出制御部２５からは、遊技球の払出動作を示す賞球計数信号や、払出動作の異常に係わるステイタス信号ＣＯＮを受信している。ステイタス信号ＣＯＮには、例えば、補給切れ信号、払出不足エラー信号、下皿満杯信号が含まれる。
【００４２】
また、主制御部２１は、遊技盤中継基板２９を経由して、遊技盤５の各遊技部品に接続されている。そして、遊技盤上の各入賞口１６〜１８に内蔵された検出スイッチのスイッチ信号を受ける一方、電動チューリップなどのソレノイド類を駆動している。なお、スイッチ信号には、図柄始動口１５から主制御部２１に伝送される二系統の入賞スイッチ信号ＳＷａ、ＳＷｂが含まれる。
【００４３】
図４は、遊技盤中継基板２９の部分を詳細に図示した回路図である。図示の通り、本実施形態の遊技盤中継基板２９には、開閉爪１５ａ及び開閉板１６ａに対応する２つのソレノイドＬ１，Ｌ２と、各種の入賞口１５〜１７及びゲート１８に対応する合計７個の検出スイッチＳＷ１〜ＳＷ７と、が接続されている。なお、ソレノイドＬ１，Ｌ２は、主制御基板２１のドライバで駆動され、検出スイッチＳＷ１〜ＳＷ７の検出出力は、主制御基板２１のバッファに伝送される。
【００４４】
また、本実施例では、図柄始動口１５や大入賞口１６に対応して、複数個の磁気センサＳＥ１〜ＳＥｎのセンサユニットが遊技盤の適所に配置されている。そして、磁気センサＳＥ１〜ＳＥｎは、コネクタＣｏ１〜Ｃｏｎを通して、遊技盤中継基板２９に接続されている。ここで、磁気センサＳＥ１〜ＳＥｎは、正常時にはＯＮ動作し、違法磁気を検出するとＯＦＦ動作する出力スイッチＱＳが設けられている。
【００４５】
一方、遊技盤中継基板２９には、磁気センサＳＥ１〜ＳＥｎに対応して、ｎ個のスイッチングトランジスタＱｓ１〜Ｑｓｎが配置され、各トランジスタＱｓ１〜Ｑｓｎのベース端子には磁気センサＳＥ１〜ＳＥｎの出力が供給されている。各トランジスタＱｓ１〜Ｑｓｎのベース端子は、バイアス抵抗（ベース抵抗）Ｒｓ１〜Ｒｓｎを通して、直流電圧５Ｖを受けており、各エミッタ端子はグランドに接続されている。また、全てのコレクタ端子は、オープンコレクタ状態で、単一のプルアップ抵抗Ｒｐに接続され、プルアップ抵抗Ｒｐには直流電圧５Ｖが供給されている。
【００４６】
上記の構成を有する遊技盤中継基板２９は、コネクタＣＮ２を通して、主制御基板２１のコネクタＣＮ３に接続されている。そして、２つのコネクタＣＮ２，ＣＮ３は３本の配線ケーブルで接続されており、３本の配線ケーブルは、直流電圧５Ｖの電源ラインＶｃｃと、グランドラインＧＮＤと、各トランジスタＱｓ１〜Ｑｓｎのコレクタ端子に接続された信号ラインＳＧとを構成している。
【００４７】
コネクタＣＮ３の信号ラインＳＧは、スイッチングトランジスタＱのベース端子に接続され、そのエミッタ端子はグランドに接続されている。また、トランジスタＱのコレクタ端子は、負荷抵抗ＲＬを通して、直流電圧５Ｖに接続されて、異常検出信号Ｖｏを出力している。
【００４８】
本実施例の遊技盤中継基板２９と主制御基板２１は、上記の通りに構成されているので、次の通りに動作する。先ず、正常時には、全ての磁気センサＳＥ１〜ＳＥｎがＯＮ状態であるので、全てのトランジスタＱｓ１〜ＱｓｎはＯＦＦ状態となる。そのため、信号ラインＳＧはＨレベルとなり、主制御基板２１のトランジスタＱはＯＮ状態となり、異常検出電圧ＶｏはＬレベル（正常レベル）となる。
【００４９】
一方、磁気センサＳＥ１〜ＳＥｎの何れか１個以上が異常な磁気を検出すると、該当する磁気センサＳＥｉがＯＦＦ動作することで、対応するトランジスタＱｓｉがＯＦＦ状態からＯＮ状態に遷移し、これに対応して信号ラインＳＧがＬレベルとなる。そのため、主制御基板２１のトランジスタＱはＯＮ状態からＯＦＦ状態に遷移して、異常検出電圧ＶｏがＨレベル（異常検出レベル）となる。したがって、このことを検知した主制御基板２１のＣＰＵは、適宜な異常報知動作を実行することができる。
【００５０】
ところで、本実施例の構成によれば、遊技機の設計変更などによって入賞口の数や配置位置が変更されても、遊技盤中継基板２９だけを交換すれば足り、主制御基板２１の回路変更が不要となる。すなわち、入賞口の個数や磁気センサの個数に対応する回路構成を有する遊技盤中継基板２９を用意するだけで、遊技機の設計変更に対応することができる。
【００５１】
また、本実施例の構成によれば、磁気センサＳＥ１〜ＳＥｎの断線や、コネクタＣＮ２〜ＣＮ３間の断線を検出することもできる。例えば、違法遊技者が磁気センサＳＥｉを外したような場合には、対応するトランジスタＱｓｉがＯＮ状態となるので、上記した異常検知時と同様の動作によって、異常検出電圧ＶｏがＨレベル（異常検出レベル）となる。また、コネクタＣＮ２〜ＣＮ３間の断線時にも、トランジスタＱがＯＦＦ動作することで、異常検出電圧ＶｏがＨレベル（異常検出レベル）となる。
【００５２】
ところで、以上の説明は、異常磁気を検出するとＯＮ状態からＯＦＦ状態に遷移動作する磁気センサＳＥ１〜ＳＥｎの使用を前提としていた。しかし、正常時にはＯＦＦ動作し、異常磁気の検出時にＯＮ動作する磁気センサを使用することもできる。
【００５３】
図５は、第２実施例の遊技盤中継基板２９の回路構成を示す図面である。なお、ソレノイドＬ１，Ｌ２や、入賞口１５〜１７などに対応する検出スイッチＳＷ１〜ＳＷ７は、図示省略している。第２実施例は、極めてシンプルな構成をしており、各磁気センサＳＥ１〜ＳＥｎの出力が、全て直結され、単一のプルアップ抵抗Ｒｐで電源電圧Ｖｃｃにプルアップされた状態で信号ラインＳＧに出力される。なお、主制御基板２１と遊技中継基板２９のコネクタＣＮ２，ＣＮ３は３本の配線ケーブルで接続され、３本の配線ケーブルは、電源ラインＶｃｃと、グランドラインＧＮＤと、各磁気センサに接続された信号ラインＳＧとを構成している。
【００５４】
第２実施例では、正常時には、全ての磁気センサＳＥ１〜ＳＥｎがＯＦＦ状態であるので、信号ラインＳＧはＨレベルとなり、主制御基板２１のトランジスタＱはＯＮ状態となり、異常検出電圧ＶｏはＬレベル（正常レベル）となる。
【００５５】
一方、磁気センサＳＥ１〜ＳＥｎの何れか１個以上が異常な磁気を検出すると、該当する磁気センサＳＥｉがＯＮ動作することで、信号ラインＳＧがＬレベルとなる。そのため、主制御基板２１のトランジスタＱはＯＮ状態からＯＦＦ状態に遷移して、異常検出電圧ＶｏがＨレベル（異常検出レベル）となる。
【００５６】
なお、コネクタＣＮ２〜ＣＮ３間の断線時には、トランジスタＱがＯＦＦ動作することで、異常検出電圧ＶｏがＨレベル（異常検出レベル）となる。但し、違法遊技者が磁気センサＳＥｉを外したような場合には、これを検知できない弱点がある。
【００５７】
そこで、このような点を重視する場合には、図６の回路構成が採用される。図６の回路構成では、磁気センサＳＥｉに近接して、直列接続された発光ダイオードＤｉ及び電流制限抵抗ｒが配置される。
【００５８】
そして、各磁気センサＳＥ１〜ＳＥｎの出力は、バイアス抵抗（ベース抵抗）Ｒ２を経由して信号ラインＳＧに出力される。また、各磁気センサＳＥ１〜ＳＥｎの出力は、プルアップ抵抗Ｒ１を経由して電源ラインＶｃｃに接続されている。
【００５９】
ここで、発光ダイオードＤ１〜Ｄｎは、正常時には、例えば、１０ｍＡ程度の電流Ｉｆが流れるよう構成されており、その状態での順方向電圧降下ＶＦは、約２．０Ｖである。そして、全ての磁気センサＳＥ１〜ＳＥｎがＯＦＦ状態である正常時には、磁気センサの出力電圧Ｖ１が、例えば２．５Ｖとなるように設計されている。
【００６０】
このような場合、電流制限抵抗ｒは、ｒ＝（Ｖ１−Ｖｆ）／Ｉｆより、５０Ω程度である。そして、抵抗Ｒ１，Ｒ２は、このような正常時にもトランジスタＱが確実にＯＮ動作する値に設計されている。具体的には、トランジスタのベース・エミッタ間の電圧Ｖｂｅに対応してベース電流ＩｂがＩｂ＝（Ｖ１−Ｖｂｅ）／Ｒ２となるので、例えばＩｂ＝０．１ｍＡを確保するためには、Ｖｂｅ＝０．６Ｖとして、Ｒ２＝１９ＫΩ程度となる。
【００６１】
一方、抵抗Ｒ１には、全てのダイオードＤ１〜Ｄｎの電流Ｉｆとベース電流Ｉｂの総和が流れるので（＝ｎ＊Ｉｆ＋Ｉｂ）が流れるので、Ｒ１＝（Ｖｃｃ−Ｖ１）／（ｎ＊Ｉｆ＋Ｉｂ）に設定されている。なお、上記の各条件において、ｎ＝２なら、Ｒ１＝１２４Ω程度である。したがって、各抵抗ｒ，Ｒ１，Ｒ２を、例えば、上記の値に設計することで、正常時にトランジスタＱをＯＮ動作させることができ、異常検出電圧ＶｏをＬレベル（正常レベル）とすることができる。
【００６２】
なお、磁気センサＳＥ１〜ＳＥｎがＯＮ動作すると、それまでＶ１＝２．５Ｖであった出力電圧が０Ｖに降下するので、トランジスタＱがＯＦＦ状態に遷移して、異常検出電圧ＶｏがＨレベル（異常レベル）となる。また、全ての発光ダイオードＤ１〜Ｄｎが一斉に消灯する。
【００６３】
そして、上記の動作は、コネクタＣＮ２〜ＣＮ３間の断線時にも、原則として同じである。但し、信号ラインＳＧだけが断線した場合には、全ての発光ダイオードＤ１〜Ｄｎが点灯状態で、検出電圧ＶｏがＨレベル（異常レベル）となる。
【００６４】
一方、違法遊技者が磁気センサＳＥｉを外したような場合には、その磁気センサＳＥｉに付随する発光ダイオードＤｉが消灯することで、係員は、異常発生と異常発生箇所とを認識することができる。
【００６５】
なお、発光ダイオードＤｉによって、異常発生箇所を報知する構成は、図４の回路構成に付加することもできる。図７は、この回路構成を例示したものであり、各トランジスタＱｓ１〜Ｑｓｎのコレクタ端子には、発光ダイオードＤ１〜Ｄｎが接続されている。そして、信号ラインＳＧと発光ダイオードＤ１〜Ｄｎのアノード端子の間には、バイアス抵抗（ベース抵抗）Ｒ２が接続され、電源ラインＶｃｃと発光ダイオードＤ１〜Ｄｎのアノード端子の間には、プルアップ抵抗Ｒ１が接続されている。また、主制御基板のトランジスタＱのベース端子には、ＯＦＦ動作を担保するための３個のダイオードＤａ〜Ｄｃが直列接続されている。
【００６６】
この実施例では、正常時には、全ての磁気センサＳＥ１〜ＳＥｎがＯＮ状態であるので、正常時には、全ての発光ダイオードＤ１〜Ｄｎは消灯状態である。また、全てのトランジスタＱｓ１〜ＱｓｎがＯＦＦ状態であることから、主制御基板２１のトランジスタＱはＯＮ状態であり、検出電圧ＶｏがＬレベル（正常レベル）となる。なお、トランジスタＱのベース電流Ｉｂは、Ｖｃｃ→抵抗Ｒ１→抵抗Ｒ２→ダイオードＤａ→ダイオードＤｂ→ダイオードＤｃの経路で流れ、抵抗Ｒ１と抵抗Ｒ２の抵抗値の総和は、所定のベース電流が流れる値に設計されている。
【００６７】
一方、磁気センサＳＥ１〜ＳＥｎの何れか１個以上が異常な磁気を検出すると、該当する磁気センサＳＥｉがＯＦＦ動作することで、対応するトランジスタＱｓｉがＯＦＦ状態からＯＮ状態に遷移し、そのコレクタ端子に接続されている発光ダイオードＤｉだけが点灯状態となる。そのため、点灯した発光ダイオードＤｉによって、異常発生個所を特定することができる。
【００６８】
また、この実施例では、トランジスタＱｓｉのＯＮ動作に対応して、主制御基板２１のトランジスタＱがＯＦＦ状態に遷移するよう構成されているので、検出電圧ＶｏはＨレベル（異常レベル）となる。トランジスタＱをＯＦＦ遷移させる構成は、以下の通りである。
【００６９】
ここでは、発光ダイオードＤｉの通電時の順方向電圧降下ＶＦは、説明の都合上、約２．０Ｖであると仮定する。すると、何れか１個以上の発光ダイオードＤｉの通電時には、発光ダイオードＤｉのアノード端子の電圧Ｖ１は、トランジスタＱｓｉの電圧降下を加味して２．２Ｖ程度になる。しかし、トランジスタＱのベース端子には、３つのダイオードＤａ〜Ｄｃが直列接続されているので、この程度の電圧では、トランジスタＱのＯＮ状態を維持できず、ＯＦＦ状態に遷移する。
【００７０】
なお、以上の動作は、違法遊技者が磁気センサＳＥｉを外したような場合も同様である。また、コネクタＣＮ２〜ＣＮ３間の断線時には、トランジスタＱがＯＦＦ動作して異常検出電圧ＶｏがＨレベル（異常検出レベル）になると共に全ての発光ダイオードＤ１〜Ｄｎが消灯する。
【００７１】
以上、本発明の実施態様を具体的に説明したが、具体的な記載内容は何ら本発明を限定するものではなく、各種の改変が可能である。
【００７２】
例えば、図６や図７の回路構成では、バイアス抵抗Ｒ２を遊技盤中継基板２９に配置したが、これを主制御基板２１に配置しても良い（図８、図９参照）。この場合には、信号ラインＳＧの信号レベルが上がるのでノイズマージンが増加する利点がある。但し、センサユニットＳＥｉの個数が大きく変化する場合には、主制御基板に配置するバイアス抵抗Ｒ２の設計値を変更する必要が生じるので、センサユニットの個数変更の自由度がやや制限される。
【００７３】
同様に、図５や図６のプルアップ抵抗Ｒｐ，Ｒ１についても主制御基板２１に配置しても良いが、この場合もセンサユニットＳＥｉの個数変更の自由度がやや制限される。
【符号の説明】
【００７４】
ＳＥｉ    検知センサ
２９      中継基板
２１      主制御基板
【図１】
2015155044.tif 000003
【図２】
2015155044.tif 000004
【図４】
2015155044.tif 000005
【図５】
2015155044.tif 000006
【図６】
2015155044.tif 000007
【図７】
2015155044.tif 000008
【図８】
2015155044.tif 000009
【図９】
2015155044.tif 000010
【図３】
2015155044.tif 000011
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
制御基板の制御回路の制御に基づいて駆動信号を出力して遊技盤上の遊技部品を駆動すると共に、複数の検出スイッチのうち、特定の検出スイッチのスイッチ信号に基づいて抽選処理を実行して大当り状態か否かを決定する弾球遊技機であって、
前記特定の検出スイッチを含んだ検出スイッチに対応して配置された複数の検知センサの検出出力を、前記制御基板に伝送する中継基板を設け、
前記複数の検知センサと前記中継基板との接続、及び、前記中継基板と前記制御基板との接続に接続異常がなく、且つ、前記複数の検知センサの何れも異常事態を検知しない場合には、前記複数の検知センサに所定の通電電流が流れることで、前記信号ラインに正常レベルの検査電流が流れるよう構成され、
前記複数の検知センサと前記中継基板との接続異常、前記中継基板と前記制御基板との接続異常、又は、前記複数の検知センサの何れかによる異常事態の検知、の何れか一以上が生じると、
前記信号ラインに、正常レベルの検査電流が流れないことで、これを検知した前記制御基板のＣＰＵは、適宜な異常報知動作を実行するよう構成されている
ことを特徴とする弾球遊技機。
【手続補正２】
【補正対象書類名】明細書
【補正対象項目名】０００８
【補正方法】変更
【補正の内容】
【０００８】
上記の目的を達成するため、本発明は、制御基板の制御回路の制御に基づいて駆動信号を出力して遊技盤上の遊技部品を駆動すると共に、複数の検出スイッチのうち、特定の検出スイッチのスイッチ信号に基づいて抽選処理を実行して大当り状態か否かを決定する弾球遊技機であって、前記特定の検出スイッチを含んだ検出スイッチに対応して配置された複数の検知センサの検出出力を、前記制御基板に伝送する中継基板を設け、前記複数の検知センサと前記中継基板との接続、及び、前記中継基板と前記制御基板との接続に接続異常がなく、且つ、前記複数の検知センサの何れも異常事態を検知しない場合には、前記複数の検知センサに所定の通電電流が流れることで、前記信号ラインに正常レベルの検査電流が流れるよう構成され、前記複数の検知センサと前記中継基板との接続異常、前記中継基板と前記制御基板との接続異常、又は、前記複数の検知センサの何れかによる異常事態の検知、の何れか一以上が生じると、前記信号ラインに、正常レベルの検査電流が流れないことで、これを検知した前記制御基板のＣＰＵは、適宜な異常報知動作を実行するよう構成されている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】